(57)【要約】【課題】本発明の課題は年月や気温の影響を受けにくい分け目部をネット部に備えたかつらベース及びかつらを提供することである。【解決手段】人毛又は人工毛が植毛されるネット部１１で形成されているかつらベースにおいて、ネット部１１の一部にシルク調部材１４を取り付けた構成とした。【選択図】図１
2008240178.tif 000002
【特許請求の範囲】
【請求項１】
人毛又は人工毛が植毛されるネット部で形成されているかつらベースにおいて、
前記ネット部の一部にシルク調部材を取り付けた、
ことを特徴とするかつらベース。
【請求項２】
前記シルク調部材は、頭髪の分け目部として使用される、
ことを特徴とする請求項１に記載のかつらベース。
【請求項３】
前記シルク調部材は、頭髪の生え際部として使用される、
ことを特徴とする請求項１に記載のかつらベース。
【請求項４】
前記シルク調部材が取り付けられる前記ネット部の一部は、地肌と近似した色に形成されている、
ことを特徴とする請求項１に記載のかつらベース。
【請求項５】
請求項１から請求項４のいずれか一つに記載されたかつらベースを備えることを特徴とするかつら。
【発明の詳細な説明】
【技術分野】
【０００１】
本発明は、人毛又は人工毛が植毛されるネット部で形成されたかつらベース及びこれを備えたかつらに関する。
【背景技術】
【０００２】
周知の通り、かつらは毛髪を増毛する方法の一つであり、薄毛に悩む人が外見上実際の頭髪であるように見せるために着用するものである。よって、必然的にかつらには実際の頭髪であるような生え方や分け目を形成することが要求される。
【０００３】
また、かつらはヘアースタイルに応じて種々の形態に製造されるものであるが、特に頭髪の分け目を備えたヘアースタイルのかつらにおいては、分け目部分が実際の地肌であるように見えることが望ましい。
【０００４】
この分け目の部分は、人毛又は人工毛が比較的覆わない箇所であるため、外見上目立つ箇所である。そこで、従来から、上記要求を満足するために様々なかつらが提案されている。
【０００５】
このような要求を満足するために、頭髪の分け目部分に人工皮膚を形成したかつらベースが特許文献１に開示されている。このかつらベースでは、人工皮膚から人毛又は人工毛を引き出して形成しているので、実際に毛髪が頭皮から生えているように見える。
【特許文献１】特開２００４−６８１９６号公報
【発明の開示】
【発明が解決しようとする課題】
【０００６】
しかしながら、特許文献１に開示された技術では、使用者の頭脂による経年変化により人工皮膚に変色が起こってしまう。また、同じく使用者の頭脂などにより人工皮膚にひび割れなどの劣化が生じてしまう。
【０００７】
つまり、従来の技術では、頭髪の分け目部分の外観性を持続しようとすると、人工皮膚部分の取替えを行わなければならないので、使用者の手間に負担がかかってしまう。しかも、使用者自身での取替えは困難であるため、かつらメーカ等に依頼する必要が生じ、コストや時間的な不利が大きい。また、夏場に使用した際、使用中に汗をかいた場合には、人工皮膚部分がベタベタし、使用者が不快に感じることがある。
【０００８】
そこで、本発明の課題は、環境の影響を受けにくく、爽やかな装着感が得られるかつらベース及びこれを備えたかつらを提供することである。
【課題を解決するための手段】
【０００９】
人毛又は人工毛が植毛されるネット部で形成されているかつらベースにおいて、上記ネット部の一部にシルク調部材を取り付ける構成とした。
【００１０】
好ましくは、上記シルク調部材は、頭髪の分け目部として使用される構成とした。
【００１１】
好ましくは、上記シルク調部材は、頭髪の生え際部として使用される構成とした。
【００１２】
好ましくは、上記シルク調部材が取り付けられる上記ネット部の一部は地肌と近似した色に形成される構成とした。
【００１３】
上記記載のかつらベースを備えることを特徴とするかつら。
【発明の効果】
【００１４】
本発明のかつらベースによれば、ネット部の一部にシルク調部材を取り付けたので環境の影響を受けにくく、爽やかな装着感を得ることのできるかつらベース及びそれを備えたかつらを提供することができる。
【発明を実施するための最良の形態】
【００１５】
以下、本発明の実施の形態について図を用いて説明を行う。
【００１６】
図１はかつらベースの主たる構成であるネット部１１を示す平面図である。図１において示されているネット部１１は、かつらベースとして形成する前の状態を示している。
【００１７】
ネット部１１は人毛又は人工毛の色に近似した色の黒色部１２と、地肌の色に近似した色の肌色部１３とで形成されている。この肌色部１３の上面には、シルク調部材１４が重ね合わせるように取り付けられている。尚、シルク調部材１４を取り付ける際には縫着及び熱溶着などで取り付けるとよい。肌色部１３の上面にシルク調部材１４を取り付けることで、このシルク調部材１４を頭髪の分け目部とした時に、下層のネット部１１の色が肌色のため目立たない。また、このシルク調部材１４を頭髪の生え際として使用することもできる。
【００１８】
シルク調部材１４は、ポリエステル１００％又はナイロン１００％の素材からなり、これらの素材を細い糸にし、平織りでネット部１１に編み込みこんで形成される。また、このときのシルク調部材１４の厚さは、０．１０ｍｍから０．１５ｍｍで形成される。このように薄くすることで、シルク調部材１４を取り付けていない箇所との段差を低くし、目立たないようにすることができる。
【００１９】
周知のように、ポリエステル繊維は、丈夫でシワになりにくいという長所がある。よって、この繊維をかつらベースとして使用した場合には、優れた外観を長い期間維持することが可能となる。
【００２０】
また、ポリエステル繊維は、吸湿性が少ないため乾燥が速いという長所もある。これにより、夏場の暑いときにも頭皮と密着した部分がベタベタしにくく爽やかな装着感が期待できる。
【００２１】
ナイロンは、気温の変化による影響を殆ど受けないという長所がある。よって、かつらベースとして使用した場合、優れた外観を長い期間維持することが可能となる。
【００２２】
また、ナイロンは反応性が高いため薬品による加工がしやすいという長所もある。それにより、熱による加工が容易であるため糸の伸縮加工をしやすい。よって、かつらベースを作成する際の手間が軽減される。
【００２３】
図２は、図１のネット部１１を加工したかつらベース１６を示す平面図である。かつらベース１６は、図１に示す長方形のネット部１１を丸く切って円形で形成されている。そのときに肌色部１３及びシルク調部材１４は、頭髪の分け目又は生え際の部分となるよう形成される。尚、本実施の形態では、肌色部１３及びシルク調部材１４をネット部１１の中央寄りに配設した場合を示しているが、この位置に限定されない。例えば、肌色部１３及びシルク調部材１４を頭髪の生え際に用いる場合は、ネット部１１の周縁部に位置することになる。
【００２４】
図３は図２のIII−III断面を示した図である。この図３においては、シルク調部材１４がネット部１１に対して段差があるように示してあるが、実際はこの段差は殆どない。
【００２５】
図４は、図２のかつらベース１６に人毛又は人工毛１７を植毛させて形成されたかつら１８を示す平面図である。同図４において、かつら１８は、主に人毛又は人工毛を植毛させるためのネット部１１で形成されている。尚、ここでは図示しないが、実際にはネット部１１にも人毛又は人工毛１７が植毛される。
【００２６】
図５はかつら１８に更にネット外周縁１５を備えたかつら１９を示す平面図である。同図５において、かつら１９は、主に人毛又は人工毛を植毛させるためのネット部１１と、ネット外周縁１５とで形成されている。このネット外周縁１５に人毛又は人工毛１７が植毛されている。尚、ここでは図示しないが、実際にはネット部１１にも人毛又は人工毛１７が植毛される。
【００２７】
かつら１９は、円形で形成されたネット部１１の周縁に環状のネット外周縁１５を設けている。このネット外周縁１５を介して、ネット部１１がほぼ曲面状に湾曲され、使用者の頭部に沿うような皿形状を保持する役目をなす。
【００２８】
また、ネット外周縁１５は、外周縁を折り返して形成する。尚、形成方法についてはこれに限定されず、弾力性を有する樹脂シートを裁断して成る環状シートをネット部１１の周縁に縫着又は熱溶着して設けると良い。
【００２９】
このかつら１８及び１９の装着方法は、ネット部１１又はネット外周縁１５に固定ピンなどを用いて装着する方法が考えられる。また、固定ピンなどの代用品として、ネット部１１又はネット外周縁１５に両面テープを用いて装着する方法も考えられる。また、このような固定ピン又は両面テープなどの固着具を用いない場合には、自毛と人毛又は人工毛とを混毛させ、混毛させた毛髪を固定スプレーなどで固定し装着する方法も考えられる。
【００３０】
本実施の形態のかつらベース１６によれば、頭髪の分け目部や生え際部をシルク調部材１４で形成しているため、かつらであることが目立たず、また、使用者が夏場の暑いときに装着した場合でも爽やかな装着感が期待できる。
【図面の簡単な説明】
【００３１】
【図１】かつらベースの主たる構成であるネット部を示す平面図である。
【図２】図１のネット部を備えたかつらベースを示す平面図である。
【図３】図２のIII−III断面を示す図である。
【図４】図２のかつらベースに人毛又は人工毛を植毛させたかつらを示す平面図である。
【図５】図４のかつらに更にネット外周縁を備えたかつらを示す平面図である。
【符号の説明】
【００３２】
１１      ネット部
１２      黒色部
１３      肌色部
１４      シルク調部材
１５      ネット外周縁
１６      かつらベース
１７      人毛及び人工毛
１８      かつら
１９      かつら
【図１】
2008240178.tif 000003
【図２】
2008240178.tif 000004
【図３】
2008240178.tif 000005
【図４】
2008240178.tif 000006
【図５】
2008240178.tif 000007